(57)【要約】【課題】小型掃除機や集塵機のように能力が小さくて吸引力が弱いものであっても、吸引管（吸引ホース）にダストを詰らせたり、ダストをホッパ内に残すことなく、ホッパに溜った集塵ダストを確実に外部に吸引して抜き出すことができるように工夫した集塵ダスト抜き出し装置と、この抜き出し装置を備えたエアーシヤワー装置を提供する。【解決手段】ダストを回収するホッパ５に、掃除機又は集塵機１５の吸引作用を及ぼす吸引管９を接続し、この吸引管９の吸引口８をホッパ５の内底部に向けて開口し、ホッパ５の内底面には圧縮エアーの噴射ノズル１３を設け、上記吸引口８には二次空気導入管１０を連設することによって集塵ダスト抜き出し装置を構成する一方、この集塵ダスト抜き出し装置を、エアーシヤワー装置の集塵装置に具備させる。【選択図】　　　図２
2004082028.tif 000002
【特許請求の範囲】
【請求項１】
集塵されたダストをホッパに回収し、回収したダストを掃除機または集塵機の吸引作用が及ぶ吸引管を通してホッパの外に抜き出すように構成した集塵ダスト抜き出し装置であって、
上記ホッパの底部に、圧縮エアーをホッパ内部に向けて噴射するノズルを設け、上記吸引管のダスト吸引口をホッパの内底部に向けて開口し、この吸引口にはホッパ内の空気を上記吸引管に導入可能な二次空気導入管を設けたことを特徴とする集塵ダスト抜き出し装置。
【請求項２】
前記二次空気導入管の根端側を、前記ホッパの内底部に向けて開口した吸引管のダスト吸引口の内側部に突出して設けると共に、この二次空気導入管の先端側を、上記ホッパ内の上方に向けて突出せしめたことを特徴とする請求項１に記載の集塵ダスト抜き出し装置。
【請求項３】
前記ホッパ内の上方に向けて突出した二次空気導入管の先端側を、ダストの堆積レベルよりも上側に於いて下向きに屈曲形成したことを特徴とする請求項１または２に記載の集塵ダスト抜き出し装置。
【請求項４】
本体内部に、空気流通路で連通するシヤワー室と空気浄化室を区画形成し、ブロアーによってシヤワー室から空気流通路を通して空気浄化室に吸引した空気をフイルターで濾過し、この濾過した空気を上記ブロアーの送風作用によってエアーノズルから上記のシヤワー室内に循環送出することによって、入室者の着衣等に付着したダスト類を払い落すように構成したエアーシヤワー装置であって、
上記フイルターとしてバグフイルターを使用し、このバグフイルターの下側部に集塵されたダストを回収するホッパを設けて、ホッパに回収したダストを掃除機または集塵機の吸引作用が及ぶ吸引管を通してホッパの外に抜き出すように構成すると共に、上記ホッパの底部に、圧縮エアーをホッパ内部に向けて噴射するノズルを設け、上記吸引管のダスト吸引口をホッパの内底部に向けて開口し、この吸引口にはホッパ内の空気を上記吸引管に導入可能な二次空気導入管を設けたことを特徴とする集塵ダスト抜き出し装置を備えたエアーシヤワー装置。
【請求項５】
前記集塵ダスト抜き出し装置を構成する前記二次空気導入管の根端側を、前記ホッパの内底部に向けて開口した吸引管のダスト吸引口の内側部に突出して設けると共に、この二次空気導入管の先端側を、上記ホッパ内の上方に向けて突出せしめたことを特徴とする請求項４に記載の集塵ダスト抜き出し装置を備えたエアーシヤワー装置。
【請求項６】
前記集塵ダスト抜き出し装置を構成する前記ホッパ内の上方に向けて突出した二次空気導入管の先端側を、ダストの堆積レベルよりも上側に於いて下向きに屈曲形成したことを特徴とする請求項４または５に記載の集塵ダスト抜き出し装置を備えたエアーシヤワー装置。
【発明の詳細な説明】
【０００１】
【発明の属する技術分野】
本発明は、集塵したダストをホッパの外に抜き出して回収する集塵ダスト抜き出し装置と、この集塵ダスト抜き出し装置を備えたエアーシヤワー装置に関するものである。
【０００２】
【従来の技術】
集塵ダスト抜き出し装置に関する従来技術に付いては、例えば特開平１０−２９６１３０号公報で開示された「集塵装置の灰抜き出し装置」に見られるようにサイクロンで回収された灰を、サイクロンの下部に設けた灰抜き出し部本体内に一旦堆積させて、これを攪拌ノズルで舞い上がらせると共に、搬送ガス管から噴射される搬送ガスで、灰を吸引口から搬送管を通して外部へ送り出す構成のものが存在する。
【０００３】
また、エアーシヤワー装置の従来技術に関しては、例えば特開２００１−４１５２１に見られるように、エアーシヤワー室内に飛散したダスト（ダイオキシン等の有害物質）を、隣接した空気浄化室に設けた集塵装置で回収し、回収されたダストを集塵装置のホッパに集めて掃除機や集塵機で外部に抜き出して、産業排気物等の取扱い処理を行うように構成したものが存在する。
【０００４】
更に、上記エアーシヤワー装置に於けるダストの抜き出し装置に付いては、図５に示すように集塵室Ｘの下側部に設けたホッパ型回収室ＨＰの底面に、前記掃除機または集塵機（回収機）に通じる吸引管ＲＰ（吸引ダクト）を連設したものと、図６に示すようにダストボックス型回収室ＨＰ′の一側面に、上記の吸引管ＲＰ（吸引ホース）を連設したものとが存在する。
【０００５】
尚、図５と図６に於いて、Ｆは集塵室Ｘの内部に吊下げたフイルター（バグフイルター）、ＡＴは集塵室Ｘに吸引作用を及ぼす集塵ブロアーで、ＡＭはそのブロアーモータ、ＫＺは圧縮エアーのタンクを含む除塵装置、ＫはフイルターＦに逆洗用（除塵用）の圧縮エアーを吹込むブローチューブで、ＫＰはエアー吹込み用の吹込口を示す。
【０００６】
【発明が解決しようとする課題】
しかし、上記前者の公報に開示されている抜き出し装置は、搬送ガス管から噴射される搬送ガスの助けを得て、灰を吸引口から外部へ送り出す構成であるため、その構成が大がかりに成って、設備費がかさんでしまう問題があった。
【０００７】
また、上記後者の公報に開示されているエアーシヤワー装置では、集塵したダストを回収室に集め、これを掃除機または集塵機の吸引力を料して外部に抜き出すのであるが、回収室が図５に示すようにホッパ型回収室ＨＰで、その底面に吸引管ＲＰを連設して下部から吸引する場合は、ホッパＨＰに溜った全てのダストを動かすことができないため、図示のように回収不能なダストが多く残ってしまう問題があった。更に、掃除機や集塵機（回収機）の運転と同時に一気にダストが吸引されるため、掃除機や集塵機の能力が不足している場合は、ダストが吸引管ＲＰ内で詰って閉塞する問題もあった。
【０００８】
更に、上記の回収室が図６に示すようにダストボックス型回収室ＨＰ′である場合は、図示したように吸引管ＲＰを接続した接続口付近のダストは吸引回収することができるが、接続口より離れた部分のダストは、掃除機或は集塵機の吸引力で流動させることができないため、殆どのダストが回収室ＨＰ′内に残存してしまう問題があった。
【０００９】
従って本発明の技術的課題は、小型掃除機や集塵機のように能力が小さくて吸引力が弱いものであっても、吸引管（吸引ホース）にダストを詰らせたり、ダストをホッパ内に残すことなく、ホッパに溜った集塵ダストを確実に外部に吸引して抜き出すことができるように工夫した集塵ダスト抜き出し装置と、この抜き出し装置を備えたエアーシヤワー装置を提供することである。
【００１０】
【課題を解決するための手段】
（１）　上記の技術的課題を解決するために、本発明の請求項１に係る集塵ダスト抜き出し装置は、集塵されたダストをホッパに回収し、回収したダストを掃除機または集塵機の吸引作用が及ぶ吸引管を通してホッパの外に抜き出すように構成した集塵ダスト抜き出し装置であって、上記ホッパの底部に、圧縮エアーをホッパ内部に向けて噴射するノズルを設け、上記吸引管のダスト吸引口をホッパの内底部に向けて開口し、この吸引口にはホッパ内の空気を上記吸引管に導入可能な二次空気導入管を設けたことを特徴とする。
【００１１】
（２）　本発明の請求項２に係る集塵ダスト抜き出し装置は、前記請求項１に記載の集塵ダスト抜き出し装置に於いて、前記二次空気導入管の根端側を、前記ホッパの内底部に向けて開口した吸引管のダスト吸引口の内側部に突出して設けると共に、この二次空気導入管の先端側を、上記ホッパ内の上方に向けて突出せしめたことを特徴とする。
【００１２】
（３）　本発明の請求項３に係る集塵ダスト抜き出し装置は、前記請求項１または２に記載の集塵ダスト抜き出し装置に於いて、前記ホッパ内の上方に向けて突出した二次空気導入管の先端側を、ダストの堆積レベルよりも上側に於いて下向きに屈曲形成したことを特徴とする。
【００１３】
（４）　本発明の請求項４に係る集塵ダスト抜き出し装置を備えたエアーシヤワー装置は、本体内部に、空気流通路で連通するシヤワー室と空気浄化室を区画形成し、ブロアーによってシヤワー室から空気流通路を通して空気浄化室に吸引した空気をフイルターで濾過し、この濾過した空気を上記ブロアーの送風作用によってエアーノズルから上記のシヤワー室内に循環送出することによって、入室者の着衣等に付着したダスト類を払い落すように構成したエアーシヤワー装置であって、上記フイルターとしてバグフイルターを使用し、このバグフイルターの下側部に集塵されたダストを回収するホッパを設けて、ホッパに回収したダストを掃除機または集塵機の吸引作用が及ぶ吸引管を通してホッパの外に抜き出すように構成すると共に、上記ホッパの底部に、圧縮エアーをホッパ内部に向けて噴射するノズルを設け、上記吸引管のダスト吸引口をホッパの内底部に向けて開口し、この吸引口にはホッパ内の空気を上記吸引管に導入可能な二次空気導入管を設けたことを特徴とする。
【００１４】
（５）　本発明の請求項５に係る集塵ダスト抜き出し装置を備えたエアーシヤワー装置は、前記請求項４に記載のエアーシヤワー装置に於いて、前記集塵ダスト抜き出し装置を構成する前記二次空気導入管の根端側を、前記ホッパの内底部に向けて開口した吸引管のダスト吸引口の内側部に突出して設けると共に、この二次空気導入管の先端側を、上記ホッパ内の上方に向けて突出せしめたことを特徴とする。
【００１５】
（６）　本発明の請求項６に係る集塵ダスト抜き出し装置を備えたエアーシヤワー装置は、前記請求項４または５に記載のエアーシヤワー装置に於いて、前記集塵ダスト抜き出し装置を構成する前記ホッパ内の上方に向けて突出した二次空気導入管の先端側を、ダストの堆積レベルよりも上側に於いて下向きに屈曲形成したことを特徴とする。
【００１６】
前記（１）で述べた本発明の請求項１に係る集塵ダスト抜き出し装置によれば、ホッパ内の底部に溜った集塵ダストを吸引回収するに当って、先ずホッパ底部に設けたエアーノズルから圧縮エアーを噴射させてダストを流動化させると共に、掃除機または集塵機の吸引作用を吸引管の吸引口を通してホッパ底部に向けて及ぼし、更に、二次空気導入管を通して吸引管の吸引作用をホッパ内部に及ぼすため、ダストはいわゆる閉塞状態を生ずることなく極めて良好な状態で吸引され、また、ダストが部分的に吸引されて吸引されない箇所を残存させることがなく、ホッパ内部のダストを円滑に、而かも、満遍無く外部へ抜き出す構成とを可能にする。
【００１７】
前記（２）で述べた本発明の請求項２に係る集塵ダスト抜き出し装置によれば、吸引管の吸引口から吸引される粉体の流れとは逆の方向に二次空気を導入するものであるから、互いに衝突現象を生じて粉体の分散がより効果的になり、吸引管内における閉塞現象を防止して、ダストをより浮遊可能とし、空気流に乗せることができる。またこの構成により、ホッパ内に大量に堆積したダストを引き抜く場合でも、大きな吸引能力を持つ集塵装置を使わなくてもよく、能力の小さな掃除機や集塵機であっても、二次空気を取り込みながら吸引することで、少しずつだが確実にダストを外部の集塵機や掃除機のフイルターパックに送り出して回収することが可能となる。
【００１８】
前記（３）で述べた本発明の請求項３に係る集塵ダスト抜き出し装置によれば、二次空気導入管の導入空気入り口側の先端部をダストの堆積レベルより上において下向きに曲げて取り付けたので、バグフイルターの除塵動作の際に、ダストの固まりが直接二次空気導入管の導入空気入り口部に落下して入ることを防止することができる。
【００１９】
前記（４），（５），（６）で述べた本発明の請求項４，５，６に係るダスト抜き出し装置を備えたエアーシヤワー装置では、装置内でダストの取り出しや抜き出しを行うものでないから、有害なダストが再び周辺に飛散する心配が無く、ダイオキシン等の回収における完全クローズドなシステムを構築することができる。加えて、掃除機や集塵機のダスト引き抜きホースの接続口をエアーシヤワー装置の本体内部に設けて接続することも、本体の外部で行うことも可能であり、装置を停止させて引き抜くことも、エア−を循環させながらダストの引き抜きを行うことも可能であるから、エアーシヤワー装置を安全且つ衛生的に、また、機能的に使用することを可能にする。
【００２０】
【発明の実施の形態】
以下に、本発明に係る集塵ダスト抜き出し装置の実施の形態を図１の記載に基づいて説明すると、図中、１は集塵装置で、２はこの集塵装置１の機体内部を清浄室３と集塵室４の上下２室に区画する仕切板、２Ｔ…は仕切板２に吊下げたバグフイルター、４Ａは集塵室４の一側に開口した含塵気流の導入口、５は集塵室４の底部に連設したホッパ、６は清浄室３の上部に設けたブロアー、６Ｍはブロアー用モータであって、ブロアー６が運転されると、含塵気流が導入口４Ａより集塵室４内に吸引されてバグフイルター２Ｔ…によって集塵され、集塵後の清浄空気が清浄室３よりブロアー６を通って外部に排気される仕組に成っている。
【００２１】
７は上記バグフイルター２Ｔに捕集されたダストを払い落す除塵用圧縮エアーの貯溜タンクを含む除塵装置、７Ａ…は除塵用圧縮エアーのブローチューブ、７Ｂ…はブローチューブ７Ａ…から噴射される圧縮エアーを上記各バグフイルター２Ｔ…の内部に吹込む吹込口であって、定期的に、又は、必要に応じて噴射される除塵用の圧縮エアーによってバグフイルター２Ｔ…から払い落されたダストＤＳは、下側のホッパ５に一時的に貯溜される仕組に成っている。
【００２２】
９は、上記ホッパ５の一側面に配管したダスト回収用の吸引管（ダクト）、８はホッパ５の内部に挿入した上記吸引管９のダスト吸引口で、ダストレベルの下側に位置するように設けられているこの吸引口８は、図示した如くホッパ５の内部に於いて吸引管９に対して略Ｌ字状（直角状）に屈曲されて、その下端口８Ｔがホッパ５の内底部に向けて開口された構成に成っている。
【００２３】
１０は、上記吸引口８の上側部にホッパ５の上方に向くように突設した二次空気導入管で、この二次空気導入管１０の先端側（上端側）は、上記ダストＤＳの堆積レベルよりも上側に於いて下向きに屈曲形成された二次空気導入口１０Ａに成っており、また、その根端側（下端側）は、上記ダスト吸引口８の内側に対してホッパ５の内底部に向けて突設した根端口１０Ｂに成っている。
【００２４】
１１は、根端側を前記除塵装置７の圧縮エアーの貯溜タンク７に接続し、先端側を開閉バルブ１２Ｖ，１２Ｖと噴射パイプ１２Ｐ，１２Ｐを介して前記ホッパ５の内底面に設けた噴射ノズル１３，１３に接続した圧縮エアー供給パイプを示す。また、１４は上記吸引管９の外端接続口９Ａに接続した吸引ホース、１５はこの吸引ホース１４と吸引管９を通して上記ホッパ５の内部にダスト回収用の吸引作用を及ぼす掃除機又は集塵機であって、１５Ｘは集塵用のファン、１５Ｙは集塵用のフイルターを示す。
【００２５】
本発明に係る集塵ダスト抜き出し装置は以上述べた如き構成であるから、各バグフイルター２Ｔ…から払い落されてホッパ５に溜ったダストＤＳを、掃除機又は集塵機１５の運転による吸引作用を、吸引ホース１４及び吸引管９を通してホッパ５内に設けた吸引口８に及ぼすことにより、掃除機又は集塵機１５側に吸引して、ホッパ５の外部に抜き出し回収することができるのであるが、本発明では特に、上記ダストＤＳの抜き出し回収に当っては、ホッパの内底面に設けたノズル１３…から溜ったダストＤＳに向けて圧縮エアーが噴射されて、ホッパ５内に於いてダストＤＳが流動化するため、ダストＤＳを極めて円滑に吸引することを可能にする。
【００２６】
また、吸引管９の吸引口８から吸引されるダストＤＳの流れとは逆方向に、二次空気導入管１０から二次空気が吸引口８内に導入されて、吸引口８の下端口８Ｔから吸引されて来るダストＤＳと、導入された二次空気とが吸引口８の内部で互いに衝突するため、ダストＤＳの分散がより効果的に行われて、吸引管９及びホース１４内に於けるダストの閉塞現象を防止し、ダストＤＳを浮遊可能にして吸引空気流に乗せることができる。その結果、ホッパ５内に大量のダストＤＳが堆積している場合であっても、二次空気を取り込みながらダストＤＳを確実に掃除機又は集塵機１５側へ抜き出すことができる。
【００２７】
更に、上記二次空気導入管１０の先端側の二次空気導入口１０Ａを、ダストＤＳの堆積レベル（堆積上限レベル）よりも上側に於いて下向きに屈曲しているため、バグフイルタ２Ｔの除塵動作によって落下して来るダストＤＳの固まりがこの二次空気導入口１０Ａに入って詰ることがないので、二次空気の取り込みを支障無く進めることを可能にする。
【００２８】
次に、以上の如く構成した集塵ダスト抜き出し装置を備えたエアーシヤワー装置の実施の形態を図面と共に説明すると、図２は本発明の全体を説明した構成図であって、図中、符号２０で全体的に示したのはエアーシヤワー装置の本体で、２４と２２はこの本体２０の内部に区画形成したシヤワー室と空気浄化室、２４Ｈは人が入ることができるように構成したシヤワー室２４の内部、２７Ａはこれ等両室２４，２２を連通する空気流通路、２７Ｄはこの流通路２７Ａを構成するダクト、２３と２３Ｈはシヤワー室２４の周囲を囲むように設けた本体２０との間隔通路で、この通路が清浄空気のエアーダクトに成っている。そして、上記空気浄化室２２の内部に、上述した本発明に係る集塵ダスト抜き出し装置を備えた集塵装置１が設置されている。
【００２９】
２６は多孔板や格子板等の通気板を用いて造った上記シヤワー室２４の床板　（底板）、２７はこの床板２６の下側に設けたシューター室で、このシューター室２７の一側が上記空気流通路２７Ａに連通しており、更に、該空気流通路２７Ａの先端口が、上記空気浄化室２２内に設置されている上記集塵装置１の集塵室４に開口されている前記含塵気流導入口４Ｈに接続されている。
【００３０】
２５…は、上記シヤワー室２４の壁面に夫々内部２４Ｈに向けた状態で取付けたエアーノズルで、これ等各エアーノズル２５…は、上記ブロアー６の回転によってシヤワー室２４から空気流通路２７Ａを通って集塵装置１の集塵室４内に吸引され、次いで、一次と二次の各フイルター、即ち、バグフイルター２Ｔ…と高性能フイルター及び、又は、活性炭フイルター２１Ｘを通って濾過及び清浄化されてエアーダクト２３，２３Ｈ…に送り出されて来る清浄空気を、シヤワー室内２４Ｈに勢い良く噴射（循環）して、シヤワー室内２４Ｈに入室した人の衣類や身体等に付着しているダスト類をきれいに払い落す仕組に成っている。
【００３１】
２１は上記本体２０の内部に上記の空気浄化室２２を区画形成する仕切壁で、この仕切壁２１の上部連通口に上述した高性能フイルター及び、又は、活性炭フイルター２１Ｘが取り付けられている。９Ｚは前記シヤワー室内２４Ｈに配管した前記集塵装置１側の吸引管９の接続口９Ａ（図１参照）に被せたキャップで、前記ホッパ５に溜ったダストＤＳを吸引して抜き出す時には、図３に示すようにこの接続口９Ａにホース１４を介して掃除機又は集塵機１５を接続して、吸引運転（抜き出し運転）を行う。
【００３２】
図４は、上記吸引管９の接続口９Ａを前記本体２０の外壁面に配管して、掃除機又は集塵機１５によるダストＤＳの抜き出し運転をエアーシヤワー装置の外で行っている状態を示したものであって、図３に示したシャワー室内２４Ｈに掃除機又は集塵機１５を設置してダストＤＳの抜き出しを行う場合も、図４に示すように本体２０の外でダストＤＳの抜き出しを行ういずれの場合も、有害なダストＤＳが周辺に直接飛散する心配が無く、ダイオキシン等の回収を完全クローズドな状態で行うことができる。
【００３３】
また、上記掃除機又は集塵機１５によるダストＤＳの抜き出しは、集塵装置１及びエアーシヤワー装置の運転を停止した状態で行うことができるし、図３の状態で各装置を運転状態のままダストＤＳの抜き出しを行った場合には、掃除機又は集塵機１５の排気を集塵装置側へ循環させながらダストＤＳを抜き出すことができる。
【００３４】
以上の如く構成したエアーシヤワー装置の使用に当っては、先ず、シャワー室２４の入り口に設けたドアー（図示省略）を開いて人が入ると、この入室を入口センサ（図示省略）が検出してブロアー６を作動する。
【００３５】
ブロアー６が運転を始めると、空気流通路２７Ａを通してシヤワー室２４から集塵装置１へ空気を取り込み、これをバクフイルター２Ｔ…で濾過した後、更に、高性能フイルター及び、又は、活性炭フイルター１２Ｘを通して高性能な濾過と、高温酸性ガス等の各種排ガスの吸着処理が行われ、次いで、これ等濾過及び浄化処理を済ませた浄化エアーをエアーダクト２３，２３Ｈ…を通して各エアーノズル２５…からシヤワー室内２４Ｈに噴射（循環）して、入室者の衣類や身体等に付着しているダスト類を払い落すことができる。
【００３６】
上記各エアーノズル２５から噴射されるエアーシヤワーによって払い落されたダスト類は、上記ブロアー６の吸引作用を受けて含塵気流に乗ってシューター室２７及び空気流通路２７Ａを通って集塵装置１の集塵室４側へ吸引され、バグフイルター２Ｔ…と高性能フイルター及び、又は、活性炭フイルター２１Ｘによる濾過を受けることになる。その後、バグフイルター２Ｔ…に捕集されたダスト類は、除塵装置７によってホッパ５に払い落される。
【００３７】
尚、図示はしていないがシヤワー室２４と集塵室４の間を切換弁を備えた空気通路によって連通接続して、上記エア−シャワ−によるダストの払落し時には、この空気通路を通うして払い落したダストのうち、比較的重量が軽い小さなダストを集塵室４側へ直接吸引する一方、エアーシヤワーによる洗浄が済んでシヤワー室２４から人が退室し、出口センサー（図示省略）がその退室を検出した時に、上記ブロアー６の吸引作用がシューター室２７に対してのみ及ぶように上記の切換弁を切換作動させることにより、シヤワー室２４の床面に落下して溜っている重量の重い大きなダスト類を、多孔板や格子板等の通気板を用いて造った床板２６を通してシューター室２７に取り込み、且つ、この取り込んだダスト類を空気流通路２７Ａから集塵室４側に吸引させて、シューター室２７及びシヤワー室２４をクリーニングするように構成してもよい。
【００３８】
また、以上のようにシューター室２７及び空気流通路２７Ａを通って集塵室４側に吸引される重量の重いダスト類は、集塵室４のバグフイルター２Ｔ…に捕集されることになるが、これ等のダスト類と一緒に排ガス類が吸引されて来るような環境下では、例えばバグフイルター２Ｔに噴射装置（図示省略）を用いて中和剤又は吸着剤をプリコートして、このプリコ−トされている中和剤又は吸着剤の層によって排ガス類を中和或は吸着すればよい。
【００３９】
次いで、上記の除塵装置７によってバグフイルター２Ｔからダスト回収用のホッパ５に払い落されたダスト類や、排ガスを吸着した上記の中和剤又は吸着剤は、外部に飛散させることなく完全クロ−ズドの状態を維持しながら、吸引管９及びホース１４を通して掃除機又は集塵機１５側に吸引回収されることになる。
【００４０】
従って、例えば焼却施設等がある環境下で作業を行った結果、衣類（作業服等）にダイオキシン等の有害物質が付着されているような場合でも、これ等有害物質をシヤワー室内２４Ｈでエアーシヤワーを用いて払い落し、これをバグフイルター２Ｔに捕集させた後、ダスト回収用ホッパ５に払い落して周囲に飛散させることなく、また、吸引管９及びホース１４にダストＤＳを詰らせることもなく、ホッパ５内の全てのダストＤＳを安全且つ確実に掃除機や集塵機１５側に抜き出して回収することができる。
【００４１】
【発明の効果】
以上述べた次第で、本発明に係る集塵ダスト抜き出し装置によれば、除塵装置によってバグフイルターからホッパに払い落されたダストを吸引管やホース内で詰らせることもなく、また、ホッパ内に残留させることなく、円滑に小型の掃除機や集塵機に用いてホッパの外に抜き出し回収することができるため、安全性と機能性に優れたダスト抜き出し装置を提供できる。また、この集塵ダスト抜き出し装置を備えたエアーシヤワー装置によれば、衣類等に付着しているダスト類の汚れが激しく、而かも、ダイオキシン等の有害物質が多く付着されているような場合であっても、これ等ダスト類や有害物質をエアーシヤワーで確実に払い落して安全に回収できるものであって、フイルターの目詰りを少くしてフイルターの交換や除塵作業に費やす無駄な時間を可及的に少くした点、１台のブロアーを効率的に用いて、装置全体のコンパクト化と低コスト化を可能にした点、ホッパに払い落したダストを安全、且つ、確実に外部へ抜き出すことができる点、と相俟って、特に、重量の重いダスト類や有害物質が多く付着している環境下での使用に適したものである。
【図面の簡単な説明】
【図１】本発明に係る集塵ダスト抜き出し装置の全体を説明した構成図。
【図２】上記の集塵ダスト抜き出し装置を備えた本発明に係るエアーシヤワー装置の全体を説明した構成図。
【図３】集塵ダストの抜き出しを行っている状態を説明した構成図。
【図４】エアーシヤワー装置の外部で集塵ダストの抜き出しを行っている状態を説明した要部の構成図。
【図５】集塵ダストの残留状態を説明した従来装置の構成図。
【図６】集塵ダストの残留状態の他の例を説明した従来装置の構成図。
【符号の説明】
１　　　　　　　集塵装置
２Ｔ　　　　　　バグフイルター
４　　　　　　　集塵室
５　　　　　　　ホッパ
６　　　　　　　ブロアー
７　　　　　　　除塵装置
８　　　　　　　吸引口
９　　　　　　　吸引管
１０　　　　　　二次空気導入管
１３　　　　　　圧縮エアーの噴射ノズル
１４　　　　　　ホース
１５　　　　　　掃除機又は集塵機
ＤＳ　　　　　　ダスト
２０　　　　　　エアーシヤワー装置の本体
２４　　　　　　シヤワー室
２５　　　　　　エアーノズル
【図１】
2004082028.tif 000003
【図２】
2004082028.tif 000004
【図３】
2004082028.tif 000005
【図４】
2004082028.tif 000006
【図５】
2004082028.tif 000007
【図６】
2004082028.tif 000008